(57)【要約】【課題】タッチパネルを、表示装置本体に対して容易に位置決め固定すること。【解決手段】タッチパネル保持フレーム３０の第１位置決囲部３２が、表示装置本体１０のうち表示画面１２側の外周部を囲うようにして外嵌めされ、第２位置決囲部３４がタッチパネル２０の外周部を囲うようにして外嵌めされている。第２位置決囲部３４の内面側に形成された保持爪部３６がタッチパネル２０の外周部に抜止め係止している。第１位置決囲部３２と第２位置決囲部３４との間に、表示画面１２とタッチパネル２０とを一定間隔に保つスペーサ部３８が突設されている。【選択図】        図３
2004264938.tif 000002
【特許請求の範囲】
【請求項１】
表示装置本体のうち表示画面の外周部を全体的に又は部分的に囲うようにして外嵌めされる第１位置決囲部と、
タッチパネルの外周部を全体的に又は部分的に囲うようにして外嵌めされる第２位置決囲部と、
前記第２位置決囲部の内面側に形成され、前記タッチパネルの外周部に抜止め係止可能な保持爪部と、
を備えたタッチパネル保持フレーム。
【請求項２】
請求項１記載のタッチパネル保持フレームであって、
前記第１位置決囲部と前記第２位置決囲部との間に、スペーサ部が突設された、タッチパネル保持フレーム。
【請求項３】
請求項２記載のタッチパネル保持フレームであって、
前記第１位置決囲部と前記記第１位置決囲部と前記スペーサ部とが非発泡樹脂により一体形成されている、タッチパネル保持フレーム。
【請求項４】
表示装置本体のうち表示画面の周囲に配設可能なように枠状に一体形成されたスペーサ部材。
【請求項５】
請求項４記載のスペーサ部材であって、
非発泡樹脂により一体形成されている、スペーサ部材。
【請求項６】
表示画面を有する表示装置本体と、
前記表示画面に対応する接触検知エリアを有するタッチパネルと、
前記表示装置本体のうち表示画面の外周部を全体的に又は部分的に囲うようにして外嵌めされた第１位置決囲部と、タッチパネルの外周部を全体的に又は部分的に囲うようにして外嵌めされた第２位置決囲部と、前記第２位置決囲部の内面側に形成され、前記タッチパネルの外周部に抜止め係止した保持爪部と、を有するタッチパネル保持フレームと、
を備えた表示装置。
【請求項７】
請求項６記載の表示装置であって、
前記第１位置決囲部と前記第２位置決囲部との間に、前記表示画面と前記タッチパネルとを一定間隔に保つスペーサ部が突設された、表示装置。
【発明の詳細な説明】
【０００１】
【発明の属する技術分野】
この発明は、タッチパネルを表示装置に取付け固定するための技術に関する。
【０００２】
【従来の技術】
従来技術として、両面テープを用いて、タッチパネルを表示装置本体の表示面側に貼付ける技術がある（例えば、特許文献１参照。）。
【０００３】
【特許文献１】
特開２０００−２２２１２６号公報
【０００４】
【発明が解決しようとする課題】
しかしながら、上記従来技術によると、両面テープを表示装置本体又はタッチパネルの周辺部に貼付ける作業が必要であり、組立作業の複雑化を招いていた。
【０００５】
また、両面テープの剥がれ等によるタッチパネルのずれや異音、誤動作等が問題となっていた。
【０００６】
そこで、この発明の課題は、タッチパネルを、表示装置本体に対して容易に位置決めすることができる技術に関する。
【０００７】
【課題を解決するための手段】
上記課題を解決すべく、請求項１記載の発明は、表示装置本体のうち表示画面の外周部を全体的に又は部分的に囲うようにして外嵌めされる第１位置決囲部と、タッチパネルの外周部を全体的に又は部分的に囲うようにして外嵌めされる第２位置決囲部と、前記第２位置決囲部の内面側に形成され、前記タッチパネルの外周部に抜止め係止可能な保持爪部と、を備えたものである。
【０００８】
なお、請求項２記載のように、前記第１位置決囲部と前記第２位置決囲部との間に、スペーサ部が突設されていてもよい。
【０００９】
また、請求項３記載のように、前記第１位置決囲部と前記記第１位置決囲部と前記スペーサ部とが非発泡樹脂により一体形成されていてもよい。
【００１０】
また、請求項４記載の発明は、表示装置本体のうち表示画面の周囲に配設可能なように枠状に一体形成されたスペーサ部材である。
【００１１】
なお、請求項５記載のように、非発泡樹脂により一体形成されているとよい。
【００１２】
また、請求項６記載の発明は、表示画面を有する表示装置本体と、前記表示画面に対応する接触検知エリアを有するタッチパネルと、前記表示装置本体のうち表示画面の外周部を全体的に又は部分的に囲うようにして外嵌めされた第１位置決囲部と、タッチパネルの外周部を全体的に又は部分的に囲うようにして外嵌めされた第２位置決囲部と、前記第２位置決囲部の内面側に形成され、前記タッチパネルの外周部に抜止め係止した保持爪部と、を有するタッチパネル保持フレームと、を備えたものである。
【００１３】
なお、請求項７記載のように、前記第１位置決囲部と前記第２位置決囲部との間に、前記表示画面と前記タッチパネルとを一定間隔に保つスペーサ部が突設されたものである。
【００１４】
【発明の実施の形態】
以下、この発明の実施の形態に係る表示装置について説明する。
【００１５】
図１は表示装置の全体構成を示す概略斜視図、図２はタッチパネル保持フレームを示す斜視図、図３は図１のＩＩＩ−ＩＩＩ線断面図、図４は図１のＩＶ−ＩＶ線断面図である。
【００１６】
この表示装置は、表示装置本体１０と、タッチパネル２０と、タッチパネル保持フレーム３０とを備えている。これら表示装置本体１０とタッチパネル２０とタッチパネル保持フレーム３０とは、一体化された形態で、パネルケース４０内に組込まれている。この表示装置は、例えば、車両に搭載されて用いられる。車両内においては、この表示装置は、例えば、車両のダッシュボードのうち車両の運転席と助手席との間の前方部分等に設置され、所定のナビゲーション画面を映し出す。
【００１７】
表示装置本体１０は、例えば、液晶表示装置により構成されており、平坦な略筺状体の外観形状を有している。この表示装置本体１０の一主面である前面側に、所定の画像を映し出す表示画面１２が設けられている。
【００１８】
タッチパネル２０は、略方形板状に形成されている。本実施の形態では、タッチパネル２０は、表示装置本体１０のうち表示画面１２を含む面の外周形状と略同一形状及び略同一大きさの略方形板状に形成されている。また、このタッチパネル２０は、表示画面１２に対応する形状及び大きさの接触検知エリア２２を有している。そして、指先で接触検知エリア２２内の所定位置をタッチすると、そのタッチした位置が検出されるようになっている。この検出信号は、例えば、ナビゲーション制御装置等の制御装置に与えられ、当該制御装置はその検出信号に基づいて所定の処理を行う。
【００１９】
このようなタッチパネル２０としては、赤外線を複数格子状（縦横）に照射し赤外線が遮断された位置を特定することでタッチ位置を検出する赤外線方式のものや、複数の導線を格子状（縦横）に配置し、導線同士の接触導通を検知することで、タッチ位置を検出する方式のもの等が用いられる。
【００２０】
タッチパネル保持フレーム３０は、樹脂等、特に非発泡樹脂による一体成形部品であり、表示装置本体１０側に外嵌めされる第１位置決囲部３２と、タッチパネル２０側に外嵌めされる第２位置決囲部３４と、この第２位置決囲部３４に形成された保持爪部３６と、前記第１位置決囲部３２と前記第２位置決囲部３４との間に突設されたスペーサ部３８とを備えている。
【００２１】
第１位置決囲部３２は、表示装置本体１０のうち表示画面１２側の外周部を全体的又は部分的に囲うようにして外嵌め可能に構成されている。本実施の形態では、第１位置決囲部３２は、表示装置本体１０のうち表示画面１２の外周部形状に対応する内周形状を有する略方形枠状に構成されている。そして、この第１位置決囲部３２は、表示装置本体１０のうち表示画面１２の外周部の全体を囲うようにして外嵌めされる。
【００２２】
なお、第１位置決囲部３２は、表示装置本体１０の前記外周部を部分的に囲う形態であってもよい。例えば、第１位置決囲部３２が、表示装置本体１０の前記外周部の左右両側面の各中間部及び上下両面面の中間部にだけ当接する構成であってもよい。要するに、表示画面１２の面方向において、第１位置決囲部３２と表示装置本体１０との相対的な位置関係が保たれる形態で、第１位置決囲部３２が表示装置本体１０の前記外周部に外嵌めされる構成であればよい。
【００２３】
なお、本実施の形態では、第１位置決囲部３２の内周面と表示装置本体１０の前記外周部との間の摩擦力により、第１位置決囲部３２と表示装置本体１０との嵌合保持を図っているが、以下の構成を採用してもよい。すなわち、この第１位置決囲部３２を、ネジ止或は第２位置決囲部３４の保持爪部３６と同様構成の係合構造等を用いて、表示装置本体１０に抜止め固定する構成であってもよい。また、パネルケース４０の開口４２の周縁部が、タッチパネル保持フレーム３０に当接してそれを表示装置本体１０側に押付けるようにして固定する構成であってもよい。
【００２４】
第２位置決囲部３４は、タッチパネル２０の外周部を全体的に又は部分的に囲うようにして外嵌め可能に構成されている。本実施の形態では、第２位置決囲部３４は、タッチパネル２０の外周部形状に対応する内周形状を有する略方形枠状に形成されている。そして、この第２位置決囲部３４は、タッチパネル２０の外周部の全体を囲うようにして外嵌めされる。
【００２５】
なお、この第２位置決囲部３４についても、上記第１位置決囲部３２について述べたのと同様に、タッチパネル２０の外周部を部分的に囲う形態であってもよい。すなわち、接触検知エリア２２の面方向において、第２位置決囲部３４とタッチパネル２０との相対的な位置関係が保たれる形態で、第２位置決囲部３４がタッチパネル２０の外周部に外嵌めされる構成であればよい。
【００２６】
保持爪部３６は、タッチパネル２０の外周部に抜止め係止可能に構成されている。本実施の形態では、第２位置決囲部３４の内周面の端縁部に沿って、適宜間隔をあけて複数の保持爪部３６が形成されている。なお、保持爪部３６は、第２位置決囲部３４の内周面の端縁部に沿って連続的に形成された構成であってもよい。
【００２７】
各保持爪部３６は、第１位置決囲部３２側（表示装置本体１０側）に向けて内向き傾斜する傾斜面３６ａと、表示装置本体１０側（後述するスペーサ部３８側）に面する抑え面３６ｂとを有している。
【００２８】
そして、タッチパネル２０を第２位置決囲部３４内に押込むと、各保持爪部３６がタッチパネル２０の外面の外周縁部に抜止め係止するようになっている。
【００２９】
スペーサ部３８は、第１位置決囲部３２と第２位置決囲部３４との間の内周面から内側に突出する板状に形成されている。スペーサ部３８は、上記表示画面１２及び接触検知エリア２２に被さらない程度の突出寸法に形成されている。また、スペーサ部３８は、表示画面１２とタッチパネル２０との間に形成すべき適切な間隔を保てる程度の厚み寸法に形成されている（図５参照）。ここで、表示画面１２とタッチパネル２０との間に形成すべき適切な間隔とは、タッチパネル２０をタッチした際の該タッチパネル２０の変形を考慮した場合において、該タッチパネル２０が表示画面１２にあたることのない適切な間隔をいう。
【００３０】
なお、このスペーサ部３８は、第１位置決囲部３２及び第２位置決囲部３４から分離したそれ単独部品の形態でも、表示装置本体１０とタッチパネル２０とを一定間隔に保つスペーサ部材として用いることができる。
【００３１】
さらに、このスペーサ部３８と上記抑え面３６ｂとの間には、タッチパネル２０の厚み寸法と略同一の間隔寸法が形成されている。そして、タッチパネル２０を第２位置決囲部３４内に内嵌めした状態で、タッチパネル２０の外周部がスペーサ部３８と各保持爪部３６との間に挟持されるようになっている。
【００３２】
なお、本実施の形態では、スペーサ部３８は、第１位置決囲部３２と第２位置決囲部３４との間の内周面全体から突出する形状となっているが、適宜間隔を有して部分的に突出する形状であってもよい。
【００３３】
パネルケース４０は、樹脂等により形成されており、上記一体化された表示装置本体１０、タッチパネル２０及びタッチパネル保持フレームを収容可能な筺状体に形成されている。また、その一主面である前面に、上記表示画面１２及び接触検知エリア２２に対応する開口４２が形成されている。表示画面１２及び接触検知エリア２２は、当該開口４２を通じて外部から視認可能又は接触可能なようになっている。
【００３４】
この表示装置の組立方法について説明する。
【００３５】
まず、表示装置本体１０の表示画面１２側の外周部を第１位置決囲部３２内に押込んで、当該第１位置決囲部３２を表示装置本体１０の前記外周部に外嵌めする。
【００３６】
この後またはこの前に、タッチパネル２０を第２位置決囲部３４内に押込む。すると、まず、タッチパネル２０の外周部が各保持爪部３６の傾斜面３６ａに摺接し、第１位置決囲部３２の端縁部が外向きに撓み変形する。そして、タッチパネル２０の外周部が各保持爪部３６を乗越えた時点で、第１位置決囲部３２の端縁部が原形に弾性復帰する。これにより、タッチパネル２０の外周部がスペーサ部３８と各保持爪部３６との間に挟持された状態で、第２位置決囲部３４がタッチパネル２０に外嵌めされる。
【００３７】
以上のように構成された表示装置によると、タッチパネル２０の外周部を第２位置決囲部３４に嵌め込むことで、タッチパネル２０をその面方向及び抜け方向に容易に位置決め固定することができる。
【００３８】
特に、第１位置決囲部３２と第２位置決囲部３４とスペーサ部３８とが一体形成されているため、組立が容易である。
【００３９】
また、表示装置本体１０の表示画面１２側の外周部が第１位置決囲部３２に外嵌めされているため、表示画面１２の面方向（接触検知エリア２２の面方向）におけるタッチパネル２０と表示装置本体１０との相対的な位置決めが図られている。各保持爪部３６によってタッチパネル２０の抜止め保持が図られており、これにより、表示画面１２の面方向に直交する方向への位置決めが図られている。このため、タッチパネル２０を表示装置本体１０に対してしっかりと一定位置に固定できる。
【００４０】
特に、表示画面１２の面方向（接触検知エリア２２の面方向）において、表示画面１２とタッチパネル２０との相対的な位置関係を一定に保持できるため、表示画面１２での表示内容と接触検知エリア２２に対する接触位置とのずれを無くし、誤動作を防止できる。
【００４１】
また、第１位置決囲部３２と第２位置決囲部３４との間に、スペーサ部３８が突設されているため、表示装置本体１０の表示画面１２とタッチパネル２０とを一定間隔に保つことができる。これにより、タッチパネル２０をタッチした場合等において、該タッチパネル２０が表示画面１２に当接するといった事態をより確実に防止できる。
【００４２】
特に、本タッチパネル保持フレーム３０、特に、スペーサ部３８の部分が、非発泡樹脂による成形部品であるため、例えば、図５に示すように、タッチパネル２０が指５０で押された場合であっても、その押圧力によってスペーサ部３８が変形し難い。このため、表示装置本体１０の表示画面１２とタッチパネル２０との間隔をより確実に一定の間隔寸法ｆに保つことができる。
【００４３】
また、従来例では、図６に示すように、表示装置本体１１０とタッチパネル１２０とを両面テープ１５０により貼付固定する構成であったため、両面テープの基材等が部分的に圧縮変形し、タッチパネル１２０が表示画面１１２に対して傾く恐れがあった。この場合には、タッチパネル１２０の構成によっては干渉縞を生じるといった問題があった。
【００４４】
ところが、本実施の形態では、本タッチパネル保持フレーム３０、特に、スペーサ部３８は、非発泡樹脂による成形部品であるため、図７に示すように、表示画面１２の外周囲全体において、表示画面１２とタッチパネル２０との間隔をより確実に一定に保つことができ、タッチパネル２０を表示画面１２に対して略平行な姿勢に保つことができる。これにより、上述のような干渉縞の発生を抑制することができる。
【００４５】
【発明の効果】
以上のように、この発明の請求項１記載のタッチパネル保持フレームによると、タッチパネルの外周部を第２位置決囲部に嵌め込むことで、タッチパネルをその面方向及び抜け方向に容易に位置決め固定することができる。
【００４６】
また、表示装置本体の外周部が第１位置決囲部に外嵌めされることとなるため、タッチパネルを表示装置本体に対してしっかりと位置決め固定できる。
【００４７】
また、請求項２記載の発明によれば、表示装置本体の表示画面とタッチパネルとを一定間隔に保つことができる。
【００４８】
また、請求項３記載のように、前記第１位置決囲部と前記記第１位置決囲部と前記スペーサ部とが非発泡樹脂により一体形成されている場合、組立を容易に行える上、変形し難いので表示装置本体とタッチパネルとをより確実に一定間隔に保つことができる。
【００４９】
また、請求項４記載の発明によると、スペーサ部材は、表示装置本体のうち表示画面の周囲に配設可能なように枠状に一体形成されているため、当該スペーサ部材を表示画面の周囲に配設することで、表示装置本体とタッチパネルとの間隔に関して、位置決めを容易に行える。
【００５０】
特に、請求項５記載のように、スペーサ部材が非発泡樹脂により一体形成されたものにあっては、変形し難いので表示装置本体とタッチパネルとをより確実に一定間隔に保つことができる。
【００５１】
さらに、請求項６記載の発明によれば、タッチパネルの外周部を第２位置決囲部に嵌め込むことで、タッチパネルをその面方向及び抜け方向に容易に位置決め固定することができる。
【００５２】
また、表示装置本体の外周部が第１位置決囲部に外嵌めされているため、タッチパネルを表示装置本体に対してしっかりと位置決め固定できる。
【００５３】
また、請求項７記載の発明によれば、表示装置本体の表示画面とタッチパネルとを一定間隔に保つことができる。
【図面の簡単な説明】
【図１】表示装置の全体構成を示す概略斜視図である。
【図２】タッチパネル保持フレームを示す斜視図である。
【図３】図１のＩＩＩ−ＩＩＩ線断面図である。
【図４】図１のＩＶ−ＩＶ線断面図である。
【図５】タッチパネルを指でタッチした状態を示す説明図である。
【図６】従来例の問題を示す説明図である。
【図７】表示装置の利点を示す説明図である。
【符号の説明】
１０  表示装置本体
１２  表示画面
２０  タッチパネル
２２  接触検知エリア
３０  タッチパネル保持フレーム
３２  第１位置決囲部
３４  第２位置決囲部
３６  保持爪部
３８  スペーサ部
【図１】
2004264938.tif 000003
【図２】
2004264938.tif 000004
【図３】
2004264938.tif 000005
【図４】
2004264938.tif 000006
【図５】
2004264938.tif 000007
【図６】
2004264938.tif 000008
【図７】
2004264938.tif 000009